(57)【特許請求の範囲】
【請求項１】
リング部とこのリング部に設けられる台座部とを有する指輪に装着して、指輪のリング部と手指との間の隙間を調節する指輪の補助具であって、
上記指輪のリング部に沿うように形成された外装部と、
この外装部が指輪のリング部に沿うように装着された状態で、外装部からリング部の内側に延設されるとともに、このリング部の内側に沿うように形成されたスペーサー部とを備え、
上記外装部の両端部は、外装部が指輪のリング部に沿うように装着された状態で、指輪の台座の端部に当接して、リング部の周方向に対する指輪の補助具の相対変位を規制するように形成されていることを特徴とする指輪の補助具。
【請求項２】
上記外装部は、上記リング部の側面に沿うように形成され、
上記外装部の両端部は、この外装部がリング部の側面に沿うように装着された状態で、上記台座の端部に当接するように外装部本体から台座側に延設される突出部を備え、
上記スペーサー部は、外装部がリング部の側面に沿うように装着された状態で、この外装部からリング部の内側に延設されるとともに、このリング部の内側に沿うように形成されていることを特徴とする請求項１に記載の指輪の補助具。
【請求項３】
上記外装部は、上記リング部の外周面に沿うように形成され、
上記スペーサー部は、この外装部がリング部の外周面に沿うように装着された状態で、この外装部からリング部の内側に延設されるとともに、このリング部の内側に沿うように設けられ、上記外装部と協同して指輪を挟持することを特徴とする請求項１に記載の指輪の補助具。
【請求項４】
上記スペーサー部は、上記外装部がリング部の外周面に沿うように装着された状態で、スペーサー部の先端に指輪のリング部の周縁部を係止してリング部がスペーサー部と外装部との間から逸脱することを規制する係止部を備えていることを特徴とする請求項３に記載の指輪の補助具。
【請求項５】
上記外装部は、それぞれ上記指輪のリング部の一方の側と他方の側からリング部の外周面を覆うようにして互いに連結される一対の外装部パーツを備え、
上記スペーサー部は、少なくとも一方の外装部パーツからリング部の内側に延設され、
上記一対の外装部パーツは、上記指輪のリング部の内側に延設され、解除可能に互いに係合される少なくとも一対の係合部を備えていることを特徴とする請求項４に記載の指輪の補助具。
【請求項６】
上記一対の外装部パーツは、それぞれ上記指輪のリング部の内側に延設され、互いに接する一対の上記スペーサー部と、上記外装部パーツの両端部にそれぞれ設けられた二対の係合部とを備え、
上記二対の係合部は、それぞれ一方に設けられた凹部２７ａ、２７ａと他方に設けられた凸部とを解除可能に係合させるように構成されていることを特徴とする請求項５に記載の指輪の補助具。
【請求項７】
上記外装部は、装飾部を備えていることを特徴とする請求項１ないし請求項６に記載の指輪の補助具。
【請求項８】
上記スペーサー部は、上記リング部に沿って延在する上記外装部の延在方向の概ね中央に対応して設けられていることを特徴とする請求項１ないし請求項７に記載の指輪の補助具。
【発明の詳細な説明】
【技術分野】
【０００１】
本発明は、指輪に装着して指輪と手指との間の隙間を調節可能な指輪の補助具に関するものである。
【背景技術】
【０００２】
指輪に対して装着して指輪と手指との間の隙間を調節可能な指輪の補助具としてリング部の内側に沿うように設けられたスペーサー部を備えた指輪の補助具が一般に知られている。
【０００３】
このような指輪の補助具は、指輪のリング部に沿って設けられた外装部と、この外装部からリング部の内側に延設されるとともに、このリング部の内側に沿うように設けられたスペーサー部とを備え、スペーサー部が指輪と手指との間の隙間を調節して、リング部が大きい場合でもスペーサー部が隙間を埋めるので、指輪の着用に際して指輪のサイズが手指に対して大きい場合でも、リング部と手指との間に隙間の無い状態で着用することができるようになっている。
【０００４】
例えば、特許文献１には、指輪の寸法が大きい場合に指輪自体に加工を施すことなく小径な手指に適合させることを目的として、金属薄板を指輪の内側に挿入して取り付け部で指輪に取り付けるようにした指輪用アダプターの技術が開示されている。
【特許文献１】実開昭５４−１２４７９５号公報
【発明の開示】
【発明が解決しようとする課題】
【０００５】
しかしながら、上述の特許文献１に開示された指輪用アダプターの技術では、金属薄板が、スペーサー部として隙間を埋めるので、指輪のサイズが大きい場合でも、リング部と手指との間に隙間の無い状態で着用することができるが、指輪の補助具がリング部の周方向に対して回動する可能性があり、指輪の補助具を確実に指輪に装着することができなかった。
【０００６】
また、長期間使用していると、指輪の補助具の取り付けに緩みが発生し、補助具の位置が不安定になって指輪の着用感が損なわれるという不具合があった。
【０００７】
本発明は上記不具合に鑑みてなされたものであり、指輪のリング部のサイズが手指に対して大きい場合でも、リング部と手指との間に隙間の無い状態で着用することができるだけでなく、指輪の補助具がリング部の周方向に対して回動することを防止して指輪の補助具を確実に指輪に装着することができる指輪の補助具を提供することを課題としている。
【０００８】
また、長期間使用した場合でも緩みが発生して指輪の補助具の位置が不安定になって指輪の着用感が損なわれるようなことがない指輪の補助具を提供することを課題としている。
【課題を解決するための手段】
【０００９】
上記課題を解決するための本発明は、リング部とこのリング部に設けられる台座部とを有する指輪に装着して、指輪のリング部と手指との間の隙間を調節する指輪の補助具であって、上記指輪のリング部に沿うように形成された外装部と、この外装部が指輪のリング部に沿うように装着された状態で、外装部からリング部の内側に延設されるとともに、このリング部の内側に沿うように形成されたスペーサー部とを備え、上記外装部の両端部は、外装部が指輪のリング部に沿うように装着された状態で、指輪の台座の端部に当接して、リング部の周方向に対する指輪の補助具の相対変位を規制するように形成されていることを特徴とする指輪の補助具である。
【００１０】
本発明によれば、外装部が指輪のリング部に沿うように装着された状態で、スペーサー部が、外装部からリング部の内側に延設され、リング部の内側に沿うように形成されているので、指輪の着用に際して指輪のサイズが手指に対して大きい場合でも、リング部と手指との間に隙間の無い状態で着用することができる。
【００１１】
また、外装部が指輪のリング部に沿うように装着された状態で、外装部の両端部が、指輪の台座の端部に当接して、リング部の周方向に対する指輪の補助具の相対変位を規制するように形成されているので、指輪の補助具がリング部の周方向に対して回動することを防止する結果、指輪の補助具を確実に指輪に装着することができる。
【００１２】
ここで、上記外装部は、上記リング部の側面に沿うように形成され、上記外装部の両端部は、この外装部がリング部の側面に沿うように装着された状態で、上記台座の端部に当接するように外装部本体から台座側に延設される突出部を備え、上記スペーサー部は、外装部がリング部の側面に沿うように装着された状態で、この外装部からリング部の内側に延設されるとともに、このリング部の内側に沿うように形成されていることが好ましい。
【００１３】
このようにすれば、外装部がリング部の側面に沿うように装着されるので、指輪の外周面に装飾が施されている場合などでも外装部やスペーサー部が指輪の外周面の装飾を覆い隠すことが無い。
【００１４】
また、このように外装部がリング部の側面に沿うように装着された状態で、外装部の両端部の突出部が、外装部本体から台座側に延設されて台座の端部に当接するので、指輪の補助具がリング部の周方向に対して回動することを防止する結果、指輪の補助具を確実に指輪に装着することができる。
【００１５】
また、上記外装部は、それぞれ側面に沿うとともに上記指輪のリング部の一方の側と他方の側からリング部の外周面を覆うようにして互いに連結される一対の外装部パーツを備え、上記スペーサー部は、少なくとも一方の外装部パーツからリング部の内側に延設され、上記一対の外装部パーツは、上記指輪のリング部の内側に延設され、解除可能に互いに係合される少なくとも一対の係合部を備えていることが好ましい。
【００１６】
このようにすれば、一対の外装部パーツがそれぞれ指輪のリング部の一方の側と他方の側からリング部の外周面を覆うとともに、指輪のリング部の内側に延設される少なくとも一対の係合部が互いに係合するので、指輪のリング部の周囲の広い範囲を覆うことができる結果、外装部の外観をすっきりしたものにすることができる。しかも一対の係合部が解除可能に互いに係合されるので、指輪のリング部に対する外装部の着脱も容易である。
【００１７】
また、上記一対の外装部パーツは、それぞれ上記指輪のリング部の内側に延設され、互いに接する一対の上記スペーサー部と、上記外装部パーツの両端部にそれぞれ設けられた二対の係合部とを備え、上記二対の係合部は、それぞれ一方に設けられた凹部２７ａ、２７ａと他方に設けられた凸部とを解除可能に係合させるように構成されていることが好ましい。
【００１８】
このようにすれば、外装部パーツに設けられた一対のスペーサー部が互いに接するとともに、二対の係合部により外装部パーツ同士が連結されるので、外装部を確実にリング部に取り付けることが可能で、しかも安定した状態を維持することができる。
【００１９】
あるいは、上記外装部は、上記リング部の外周面に沿うように形成され、上記スペーサー部は、この外装部がリング部の外周面に沿うように装着された状態で、この外装部からリング部の内側に延設されるとともに、このリング部の内側に沿うように設けられ、上記外装部と協同して指輪を挟持するように構成されてもよい。
【００２０】
このようにすれば、外装部がリング部の外周面に沿うように装着されるので、リング部の幅は、概ね変更されないようにすることができる。
【００２１】
また、このように、外装部がリング部の外周面に沿うように装着された状態で、スペーサー部が、外装部と協同して指輪を挟持するので、指輪の補助具がリング部から逸脱することを防止することができる結果、指輪の補助具をより確実に指輪に装着することができる。
【００２２】
また、上記スペーサー部は、上記外装部がリング部の外周面に沿うように装着された状態で、スペーサー部の先端に指輪のリング部の周縁部を係止してリング部がスペーサー部と外装部との間から逸脱することを規制する係止部を備えていることが好ましい。
【００２３】
このようにすれば、外装部がリング部の外周面に沿うように装着された状態で、スペーサー部の係止部が、スペーサー部の先端に指輪のリング部の周縁部を係止してリング部がスペーサー部と外装部との間から逸脱することを規制するので、リング部が指輪の補助具から逸脱することをより防止することができる結果、指輪の補助具をさらに確実に指輪に装着することができる。
【００２４】
また、上記外装部は、装飾部を備えていることが好ましい。
【００２５】
このようにすれば、外装部が、装飾部を備えているので、指輪の補助具のデザイン性を向上させるとともに、指輪の美観を引き立てることもできる。
【００２６】
そして、上記スペーサー部は、上記リング部に沿って延在する上記外装部の延在方向の概ね中央に対応して設けられていることが好ましい。
【００２７】
このようにすれば、スペーサー部が、リング部に沿って延在する上記外装部の延在方向の概ね中央に対応して設けられているので、指輪の補助具の指輪に対するバランスを良好にすることができる結果、指輪の着用感をより自然で良好なものにすることができる。
【発明の効果】
【００２８】
以上説明したように、本発明によれば、指輪の着用に際して指輪のサイズが手指に対して大きい場合でも、リング部と手指との間に隙間の無い状態で着用することができるという顕著な効果を奏する。
【００２９】
また、指輪の補助具がリング部の周方向に対して回動することを防止する結果、指輪の補助具を確実に指輪に装着することができるという顕著な効果を奏する。
【発明を実施するための最良の形態】
【００３０】
以下、添付図面を参照しながら本発明の好ましい実施の一形態について詳述する。図１は、本発明の第１の実施の形態に係る指輪の補助具１の構成を示す斜視図であり、図２は、第１の実施の形態に係る指輪の補助具１の構成を示す正面図である。また、図３は、第１の実施の形態に係る指輪の補助具１の構成を示す側面図である。
【００３１】
図１〜図３を参照して、図示の本発明の第１の実施の形態に係る指輪の補助具１は、指輪２に装着して、指輪２のリング部２ａと手指３（図２、図５）との間の隙間を調節する指輪の補助具１であって、外装部４と、スペーサー部５とを備えている。
【００３２】
上記指輪２は、一般に広く用いられている指輪であり、金属製のリング部２ａとこのリング部２ａに設けられる金属製の台座部２ｂとを有する。
【００３３】
上記手指３（図２、図５）は、本発明の実施の形態に係る指輪の補助具１が、指輪２を適合させようとする対象である。左右の手の５指のいずれかの指であり、また、人によってサイズが異なる。
【００３４】
上記外装部４は、指輪２のリング部２ａに沿うように形成された金属製の部材であり、この外装部４の両端部４ａは、外装部４が指輪２のリング部２ａに沿うように装着された状態で、指輪２の台座部２ｂの端部２ｃに当接して、リング部２ａの周方向に対する指輪の補助具１の相対変位を規制するように形成されている。
【００３５】
ここで、上記外装部４は、リング部２ａの側面２ｄに沿うように形成され、この外装部４の両端部４ａは、外装部４がリング部２ａの側面２ｄに沿うように装着された状態で、台座部２ｂの端部２ｃに当接するように外装部４本体から台座部２ｂ側に延設される突出部４ｂを備えている。
【００３６】
また、この外装部４は、外面に図略のエッチングからなる装飾部を備えており、指輪の補助具１のデザイン性を向上させている。
【００３７】
上記スペーサー部５は、手指３に対して指輪２の寸法が大きい場合に指輪２自体に加工を施すことなく小径な手指に適合させることを目的として、リング部２ａの内側に挿入される部分であり、このスペーサー部５は、外装部４がリング部２ａの側面２ｄに沿うように装着された状態で、外装部４からリング部２ａの内側に延設されるとともに、このリング部２ａの内側に沿うように形成されている。
【００３８】
このスペーサー部５は、リング部２ａに沿って延在する上記外装部の延在方向の概ね中央に対応して設けられている。
【００３９】
ここで、図１〜図３を参照して、本発明の第１の実施の形態に係る指輪の補助具１の作用について説明する。
【００４０】
図１〜図３を参照して、本発明の第１の実施の形態に係る指輪の補助具１においては、図示のように、外装部４が指輪２のリング部２ａに沿うように装着された状態で、外装部４の両端部４ａが、指輪２の台座部２ｂの端部２ｃに当接して、リング部２ａの周方向に対する指輪の補助具１の相対変位を規制する。
【００４１】
この時、外装部４の両端部４ａにおいて外装部４本体から台座部２ｂ側に延設される突出部４ｂが、外装部４がリング部２ａの側面２ｄに沿うように装着された状態で、台座部２ｂの端部２ｃに当接する。
【００４２】
そして、外装部４が指輪２のリング部２ａに沿うように装着された状態で、スペーサー部５が、リング部２ａの内側に沿う。
【００４３】
このように、指輪の補助具１が、指輪２に装着されて、指輪２のリング部２ａと手指３との間の隙間を調節するようになっている。
【００４４】
以上説明したように、本発明の第１の実施の形態に係る指輪の補助具１によれば、外装部４が指輪２のリング部２ａに沿うように装着された状態で、スペーサー部５が、外装部４からリング部２ａの内側に延設され、リング部２ａの内側に沿うように形成されているので、指輪２の着用に際して指輪２が手指３に対してサイズが大きい場合でも、リング部２ａと手指３との間に隙間の無い状態で着用することができる。
【００４５】
また、外装部４が指輪２のリング部２ａに沿うように装着された状態で、外装部４の両端部４ａが、指輪２の台座部２ｂの端部２ｃに当接して、リング部２ａの周方向に対する指輪の補助具１の相対変位を規制するように形成されているので、指輪の補助具１がリング部２ａの周方向に対して回動することを防止する結果、指輪の補助具１を確実に指輪２に装着することができる。
【００４６】
この時、外装部４がリング部２ａの側面２ｄに沿うように装着された状態で、外装部４の両端部４ａの突出部４ｂが、外装部４本体から台座部２ｂ側に延設されて台座部２ｂの端部２ｃに当接するので、指輪の補助具１がリング部２ａの周方向に対して回動することを防止する結果、指輪の補助具１を確実に指輪２に装着することができる。
【００４７】
また、外装部４がリング部２ａの側面２ｄに沿うように装着されるので、指輪２の外周面２ｅに装飾が施されている場合などでも外装部４やスペーサー部５が指輪２の外周面２ｅの装飾を覆い隠すことが無い。
【００４８】
また、外装部４が、装飾部を備えているので、指輪の補助具１のデザイン性を向上させるとともに、指輪２の美観を引き立てることもできる。
【００４９】
さらに、スペーサー部５が、リング部２ａの概ね中央に対応して設けられているので、指輪の補助具１の指輪２に対するバランスを良好にすることができる結果、指輪２の着用感をより自然で良好なものにすることができる。
【００５０】
次に、図４〜図６を参照して、本発明の第２の実施の形態に係る指輪の補助具１１について詳述する。図４は、本発明の第２の実施の形態に係る指輪の補助具１１の構成を示す斜視図であり、図５は、第２の実施の形態に係る指輪の補助具１１の構成を示す正面図である。また、図６は、第２の実施の形態に係る指輪の補助具１１の構成を示す側面図である。なお、第１の実施形態に係る集積回路検査装置１と同様の構成については同じ符号を付し、説明の重複を避けるものとする。
【００５１】
本発明の第２の実施の形態に係る指輪の補助具１１は、図４〜図６に示すように、外装部１４と、スペーサー部１５とを備えている。
【００５２】
上記外装部１４は、第２の実施の形態に係る指輪の補助具１１では、リング部２ａの外周面２ｅに沿うように形成されている。
【００５３】
また、上記スペーサー部１５は、第２の実施の形態に係る指輪の補助具１１では、外装部１４がリング部２ａの外周面２ｅに沿うように装着された状態で、この外装部１４からリング部２ａの内側に延設されるとともに、曲折されてこのリング部２ａの内側に沿うように設けられ、外装部１４と協同して指輪２を挟持するようになっている。
【００５４】
また、このスペーサー部１５は、この外装部１４がリング部２ａに装着された状態で、スペーサー部１５の先端に指輪２のリング部２ａの周縁部２ｆを係止してリング部２ａがスペーサー部１５と外装部１４との間から逸脱することを規制する係止部１５ａを備えている。
【００５５】
本発明の第２の実施の形態に係る指輪の補助具１１の作用は以下の通りである。
【００５６】
すなわち、本発明の第２の実施の形態に係る指輪の補助具１１においては、図示のように、外装部１４がリング部２ａの外周面２ｅに沿うように装着された状態で、スペーサー部１５が、外装部１４と協同して指輪２を挟持し、スペーサー部１５の係止部１５ａが、スペーサー部１５の先端に指輪２のリング部２ａの周縁部２ｆを係止してリング部２ａがスペーサー部１５と外装部１４との間から逸脱することを規制する。
【００５７】
このように、指輪の補助具１１が、指輪２に装着されて、指輪２のリング部２ａと手指３との間の隙間を調節するようになっている。
【００５８】
以上説明したように、本発明の第２の実施の形態に係る指輪の補助具１１によれば、外装部１４がリング部２ａの外周面２ｅに沿うように装着されるので、リング部２ａの幅は、概ね変更されないようにすることができる。
【００５９】
また、外装部１４がリング部２ａの外周面２ｅに沿うように装着された状態で、スペーサー部１５が、外装部１４と協同して指輪２を挟持するので、指輪の補助具１１がリング部２ａから逸脱することを防止することができる結果、指輪の補助具１１をより確実に指輪２に装着することができる。
【００６０】
また、外装部１４がリング部２ａの外周面２ｅに沿うように装着された状態で、スペーサー部１５の係止部１５ａが、スペーサー部１５の先端に指輪２のリング部２ａの周縁部２ｆを係止してリング部２ａがスペーサー部１５と外装部１４との間から逸脱することを規制するので、リング部２ａが指輪の補助具１１から逸脱することを防止することができる結果、指輪の補助具１１をさらに確実に指輪２に装着することができる。
【００６１】
次に、図７〜図９を参照して、本発明の第３の実施の形態に係る指輪の補助具２１について詳述する。図４は、本発明の第２の実施の形態に係る指輪の補助具２１の構成を示す斜視図であり、図５は、第３の実施の形態に係る指輪の補助具２１の構成を示す正面図である。また、図６は、第３の実施の形態に係る指輪の補助具２１の構成を示す側面図である。なお、第１の実施形態に係る集積回路検査装置１と同様の構成については同じ符号を付し、説明の重複を避けるものとする。
【００６２】
本発明の第３の実施の形態に係る指輪の補助具２１においては、図７〜図９に示すように、外装部２４は、それぞれ側面に沿うとともに指輪のリング部２ａの一方の側と他方の側からリング部２ａの外周面２ｅを覆うようにして互いに連結される一対の外装部パーツ２４ａ、２４ｂを備えており、これら、一対の外装部パーツ２４ａ、２４ｂは、それぞれ外装部パーツ２４ａ、２４ｂから指輪２のリング部２ａの内側に延設され、互いに接する一対のスペーサー部２５ａ、２５ｂと、外装部パーツ２４ａ、２４ｂの両端部にそれぞれ設けられた二対の係合部２６ａ、２６ｂとを備えている。
【００６３】
上記二対の係合部２６ａ、２６ｂは、それぞれの外装部パーツ２４ａ、２４ｂから指輪２のリング部２ａの内側に延設された部材であり、それぞれ一方の係合部２６ａに設けられた凹部２７ａと他方の係合部２６ｂに設けられた凸部２７ｂとを解除可能に係合させることにより、係合部２６ａと係合部２６ｂとを解除可能に互いに係合するようになっている。
【００６４】
このように第３の実施の形態に係る指輪２の補助具２１によれば、一対の外装部パーツ２４ａ、２４ｂがそれぞれ指輪２のリング部２ａの一方の側と他方の側からリング部２ａの外周面２ｅを覆うとともに、指輪２のリング部２ａの内側に延設される少なくとも一対の係合部２６ａ、２６ｂが互いに係合するので、指輪２のリング部２ａの周囲の広い範囲を覆うことができる結果、外装部２４の外観をすっきりしたものにすることができる。しかも一対の係合部２６ａ、２６ｂが解除可能に互いに係合されるので、指輪２のリング部２ａに対する外装部２４の着脱も容易である。
【００６５】
また、外装部パーツ２４ａ、２４ｂに設けられた一対のスペーサー部２５ａ、２５ｂが互いに接するとともに、二対の係合部２６ａ、２６ｂにより外装部パーツ２４ａ、２４ｂ同士が連結されるので、外装部２４を確実にリング部２ａに取り付けることが可能で、しかも安定した状態を維持することができる。
【００６６】
上述した実施の形態は本発明の好ましい具体例を例示したものに過ぎず、本発明は上述した実施の形態に限定されない。
【００６７】
例えば、指輪２は、台座部２ｂに宝石などが設けられていても設けられていなくともよい。図１０は、台座部２ｂに宝石２ｇなどが設けられている指輪に第３の実施の形態に係る指輪の補助具２１が取り付けられた場合の側面図である。このようにリング部２ａとこのリング部２ａに設けられる台座部２ｂとを有するものであれば種々の指輪が採用可能である。
【００６８】
また、指輪２の大きさ、寸法は、個々の指輪によって異なり、手指３も、人によって、また５指のいずれかの指によってサイズが異なるので、指輪の補助具１、１１の外装部４、１４、スペーサー部５、１５は、種々の大きさ、寸法に設計変更が可能である。
【００６９】
また、外装部４の装飾部は必ずしも必須でない。外装部４は、平坦な表面のままでも採用可能である。
【００７０】
その他、本発明の特許請求の範囲内で種々の設計変更が可能であることはいうまでもない。
【図面の簡単な説明】
【００７１】
【図１】本発明の第１の実施の形態に係る指輪の補助具の構成を示す斜視図である。
【図２】第１の実施の形態に係る指輪の補助具の構成を示す正面図である。
【図３】第１の実施の形態に係る指輪の補助具の構成を示す側面図である。
【図４】本発明の第２の実施の形態に係る指輪の補助具の構成を示す斜視図である。
【図５】第２の実施の形態に係る指輪の補助具の構成を示す正面図である。
【図６】第２の実施の形態に係る指輪の補助具の構成を示す側面図である。
【図７】本発明の第３の実施の形態に係る指輪の補助具の構成を示す斜視図である。
【図８】第３の実施の形態に係る指輪の補助具の構成を示す正面図である。
【図９】第３の実施の形態に係る指輪の補助具の構成を示す側面図である。
【図１０】台座部に宝石が設けられている指輪に第３の実施の形態に係る指輪の補助具が取り付けられた場合の側面図である。
【符号の説明】
【００７２】
１、１１、２１  指輪の補助具
２      指輪
２ａ    リング部
２ｂ    台座部
２ｃ    台座部の端部
２ｄ    リング部の側面
２ｅ    リング部の外周面
２ｆ    リング部の周縁部
３      手指
４、１４、２４  外装部
４ａ    両端部
４ｂ    突出部
５、１５、２５ａ、２５ｂ  スペーサー部
１５ａ  係止部
２４ａ、２４ｂ  外装部パーツ
２６ａ  係合部
２７ａ  凹部
２７ｂ  凸部
【図１】
0004734178.tif 000002
【図２】
0004734178.tif 000003
【図３】
0004734178.tif 000004
【図４】
0004734178.tif 000005
【図５】
0004734178.tif 000006
【図６】
0004734178.tif 000007
【図７】
0004734178.tif 000008
【図８】
0004734178.tif 000009
【図９】
0004734178.tif 000010
【図１０】
0004734178.tif 000011